(57)【要約】    【課題】特定のアミド基含有グアニジン誘導体または／およびその塩を含有する液体組成物中におけるそれらの沈殿を抑制する方法、延いては保存安定性の改善されたそのような液体組成物を提供すること。    【解決手段】特定のアミド基含有グアニジン誘導体または／およびその塩（成分Ａ）ならびに成分Ａの沈殿の生成を抑制する作用のある、無機塩、有機酸塩、非イオン性活性剤および両性活性剤からなる群より選ばれる少なくとも１種（成分Ｂ）とを含有する液体組成物。【選択図】      なし【特許請求の範囲】
【請求項１】
下記一般式（１）
【化１】
2004269518.tif 000011
（式中、Ｒ１およびＲ２は、それぞれ、水素原子または炭素原子数１〜４の直鎖または分岐鎖のアルキル基またはアルケニル基であり、同一でも異なっていても良い。Ｒ３は、炭素原子数１〜２２の直鎖または分岐鎖のアルキル基またはアルケニル基である。そして、Ｘは、炭素原子数１〜１０の直鎖または分岐鎖のアルキレン基またはアルケニレン基である。）
で表されるアミド基含有グアニジン誘導体または／およびその塩（成分Ａ）並びに成分Ａの沈殿の生成を抑制する作用を有する、無機塩、有機酸塩、非イオン性界面活性剤および両性界面活性剤からなる群より選ばれる少なくとも１種（成分Ｂ）を含有するものであって、配合割合が成分Ａ／成分Ｂ（重量比）＝１／０．５〜１／２０であることを特徴とする液体組成物。
【請求項２】
該無機塩が塩化ナトリウムおよび塩化カリウムからなる群より選ばれたものであることを特徴とする請求項１記載の液体組成物。
【請求項３】
該有機酸塩がグルタミン酸ナトリウム（一水和物）、アスパラギン酸ナトリウム、アスパラギン酸カリウム、乳酸ナトリウム、乳酸カリウム、リンゴ酸ナトリウム、リンゴ酸カリウムおよび酢酸カリウムからなる群より選ばれたものであることを特徴とする請求項１記載の液体組成物。
【請求項４】
該非イオン性界面活性剤がソルビタン脂肪酸エステル、ポリオキシエチレンソルビット脂肪酸エステル、ポリオキシエチレン硬化ヒマシ油、ポリエチレングリコール脂肪酸エステル、ポリオキシエチレン硬化ヒマシ油ピログルタミン酸エステルおよびポリオキシエチレングリセリルピログルタミン酸エステルからなる群より選ばれたものであることを特徴とする請求項１の液体組成物。
【請求項５】
該両性界面活性剤がカルボベタイン型両性界面活性剤、スルホベタイン型両性界面活性剤およびヒドロキシスルホベタイン型両性界面活性剤からなる群より選ばれたものであることを特徴とする請求項１記載の液体組成物。
【請求項６】
上記一般式（１）におけるＲ３が炭素原子数１１の直鎖アルキル基であることを特徴とする請求項１〜５のいずれかに記載の液体組成物。
【請求項７】
上記一般式（１）におけるＲ１およびＲ２がそれぞれ水素原子であり、Ｒ３が炭素原子数１１の直鎖アルキル基であり、そしてＸが炭素原子数４の直鎖アルキル基であることを特徴とする請求項１〜５のいずれかに記載の液体組成物。
【請求項８】
請求項１〜７のいずれかに記載の液体組成物を含浸させたことを特徴とするウエットティッシュなどの含浸基布材。
【請求項９】
請求項１〜７のいずれかに記載の液体組成物を配合したことを特徴とする皮膚外用剤。
【請求項１０】
請求項１〜７のいずれかに記載の液体組成物を配合したことを特徴とする洗口剤。
【請求項１１】
前記一般式（１）で表されるアミド基含有グアニジン誘導体または／およびその塩（成分Ａ）および成分Ａの沈殿の生成を抑制する作用を有する、無機塩、有機酸塩、非イオン界面活性剤および両性界面活性剤よりなる群より選ばれる少なくとも１種（成分Ｂ）ならびに必要により常用の添加剤を適宜含有することを特徴とする請求項１〜７のいずれかに記載の液体組成物のプレミックス。
【発明の詳細な説明】
【技術分野】
【０００１】
本発明は、特定のアミド基含有グアニジン誘導体または／およびその塩を含有する組成物に関する。更に詳しくは、アミド基含有グアニジン誘導体または／およびその塩（成分Ａ）に特定の無機塩、有機酸塩、非イオン性活性剤および両性活性剤からなる群より選ばれる少なくとも１種（成分Ｂ）を添加することによる、そのアミド基含有グアニジン誘導体およびその塩の沈殿の生成を抑制する方法、および保存安定性の改善された上記アミド基含有グアニジン誘導体または／およびその塩を含有する液体組成物に関する。この液体組成物は、ウエットティッシュ用薬液、化粧水、洗口剤、ローション剤、入浴剤、制汗剤など幅広い製品に応用することができる。
【背景技術】
【０００２】
安全性に関する社会的関心や天然志向の高まるなか、さまざまなアミノ酸誘導体の研究が盛んに行われている。４級アンモニウム塩等と同様にカチオン系の活性剤である、天然アミノ酸誘導体、Ｎ−長鎖アシル塩基性アミノ酸誘導体及びその塩は、殺菌性洗浄剤として古くから知られている（特公昭５１−５４１３号公報）。例えばそれらの１種であるＮ−ココイル−Ｌ−アルギニンエチルエステル−ＤＬ−ピロリドンカルボン酸塩は、「ＣＡＥ」の商品名で市販されており、優れた界面活性能および安全性を示し、また良好な防腐性または殺菌性を有する。
【０００３】
しかしながら、Ｎ−長鎖アシル塩基性アミノ酸誘導体は、通常、塩の形で使用され、水溶性であることから同誘導体の塩は、分子内のエステル基が加水分解を受けることがあった。
【０００４】
一方、Ｎ−長鎖アシル塩基性アミノ酸誘導体から加水分解部位であるエステル構造を取り除いた構造をもつアミノ基含有グアニジン誘導体またはその塩は、その構造から予想されるとおり対加水分解安定性に優れる。また、特開平２−２４３６１４号公報（特許文献１）、特開平４−４９２２１号公報（特許文献２）、および特開平４−４９２２２号公報（特許文献３）に記載されているように、毛髪に対し優れた吸着性を有しており、毛髪に柔軟性や保湿性、良好な仕上がり感などを付与する界面活性剤として利用されている。
【０００５】
皮膚外用剤として利用した場合にも、特開平６−３２１７２７号公報（特許文献４）に開示されているように保湿効果に優れ、使用時ののびがよく、またべとつかず滑らかな使用感を有する皮膚外用剤を提供することができることが知られていた。
【０００６】
しかしながら、本発明者らが後述一般式（１）で表されるアミド基含有グアニジン誘導体またはその塩を界面活性剤や殺菌剤および防腐剤としてウエットティッシュ用薬液や化粧水等（液体組成物）を調製したところ、それらの液体組成物の中に希釈時点で既に、または経時において沈殿物が生じ、それらの組成物の保存安定性に問題のあることがわかった。
【０００７】
これまでこのような現象は、毛髪用化粧料のコンディショナーのような乳白色の乳化形態では確認されておらず、半透明から透明な液体組成物で顕在化してきた問題点である。
【０００８】
本発明者らは、生じた沈殿を分析した結果、それが後述一般式（１）で表されるアミド基含有グアニジン誘導体の合成反応時に副生した脂肪酸とそのアミド基含有グアニジン誘導体の塩であることを確認した。
【０００９】
前述の通り、後述一般式（１）で表されるアミド基含有グアニジン誘導体およびその塩は、界面活性剤、感触改良剤、防腐剤または殺菌剤として有用な化合物ではあるが、これを含有した液体組成物に沈殿物が生じた場合には商品価値を下げたり、また、肌等へ使用する場合には使用感を不良にする。また、このアミド基含有グアニジン誘導体およびその塩の水溶液を工業的に調製するプロセス管理の観点からも、このアミド基含有グアニジン誘導体およびその塩の溶解が目視で簡便に確認できない等の問題点を有していた。
【特許文献１】特開平２−２４３６１４号公報
【特許文献２】特開平４−４９２２１号公報
【特許文献３】特開平４−４９２２２号公報
【特許文献４】特開平６−３２１７２７号公報
【発明の開示】
【発明が解決しようとする課題】
【００１０】
前項記載の従来技術の背景下に、本発明の目的は、後述一般式（１）で表されるアミド基含有グアニジン誘導体または／およびその塩を含有する液体組成物中におけるそれらの沈殿の生成を抑制する方法、延いては保存安定性の改善されたそのような液体組成物を提供することにある。
【課題を解決するための手段】
【００１１】
本発明者らは、上記課題を解決するために鋭意研究した結果、前記の沈殿の生成を抑制する機能に優れた物質を見出し、このような知見に基いて本発明を完成するに至った。
【００１２】
即ち、本発明は、下記一般式（１）で表されるアミド基含有グアニジン誘導体または／およびその塩（成分Ａ）並びに成分Ａの沈殿の生成を抑制する作用を有する、無機塩、有機酸塩、非イオン性界面活性剤および両性界面活性剤からなる群より選ばれる少なくとも１種（成分Ｂ）を含有するものであって、配合割合が成分Ａ／成分Ｂ（重量比）＝１／０．５〜１／２０であることを特徴とする液体組成物に関する。
【００１３】
【化２】
2004269518.tif 000002
【００１４】
（式中、Ｒ１およびＲ２は、それぞれ、水素原子または炭素原子数１〜４の直鎖または分岐鎖のアルキル基またはアルケニル基であり、同一でも異なっていても良い。Ｒ３は、炭素原子数１〜２２の直鎖または分岐鎖のアルキル基またはアルケニル基である。そして、Ｘは、炭素原子数１〜１０の直鎖または分岐鎖のアルキレン基またはアルケニレン基である。）
【発明を実施するための最良の形態】
【００１５】
以下、本発明を詳細に説明する。
【００１６】
最初に本発明にかかわる、すなわち、上記一般式（１）で表わされるアミド基含有グアニジン誘導体およびその塩（成分Ａ）について詳述する。
【００１７】
本発明におけるアミド基含有グアニジン誘導体は、下記一般式（１）で表される。
【００１８】
【化３】
2004269518.tif 000003
【００１９】
（式中、Ｒ１およびＲ２は、それぞれ、水素原子または炭素原子数１〜４の直鎖または分岐鎖のアルキル基またはアルケニル基であり、同一でも異なっていても良い。Ｒ３は、炭素原子数１〜２２の直鎖または分岐鎖のアルキル基またはアルケニル基である。そして、Ｘは、炭素原子数１〜１０の直鎖または分岐鎖のアルキレン基またはアルケニレン基である。）
【００２０】
本発明における前記一般式（１）で表されるアミド基含有グアニジン誘導体の長鎖アシル基（Ｒ３ＣＯ）としては、炭素原子数１〜２２の直鎖又は分岐鎖の飽和又は不飽和のものであり、例えば、酢酸、プロピオン酸、カプリン酸、ラウリン酸、ミリスチン酸、パルミチン酸、ステアリン酸、ベヘニン酸、リノール酸、リノレイン酸、オレイン酸、イソステアリン酸、２−エチルヘキサン酸、ヤシ油脂肪酸、牛脂油脂脂肪酸、硬化牛脂油脂脂肪酸等から誘導することのできるアシル基を挙げることができる。好ましいアシル基としては、カプロイル基、ラウロイル基、ミリスチル基、パルミトイル基、ステアロイル基、ベヘノイル基、ココイル基、硬化牛脂油脂脂肪酸アシル基等が挙げられ、さらに好ましくは、比較的安価に入手可能なラウロイル基、ミリスチル基、パルミトイル基およびステアロイル基が挙げられる。これらのなかでももっとも好ましくは抗菌活性のもっとも高いラウロイル基である。また、アシル基は、単一鎖長のもののみならず、異なる鎖長の混合物であってもよい。
【００２１】
また、Ｘは、炭素原子数１〜１０、好ましくは２〜６の分岐鎖または直鎖のアルキレン基またはアルケニレン基であり、例えば、エチレン、プロピレン、テトラメチレン、ペンタメチレン、ヘキサメチレンなどの基であり、特に好ましいのは天然アミノ酸のアルギニンより製造できる４−アミノブチルグアニジンにおけるテトラメチレン基である。
【００２２】
なお、本発明のアミド基含有グアニジン誘導体は、通常、塩の形で使用されている。具体的には塩酸塩などの無機酸塩、グリコール酸塩、酢酸塩、乳酸塩、酸性アミノ酸塩などの有機酸塩、等として用いることができる。本発明の液体組成物には、アミド基含有グアニジン誘導体およびその塩は、それらの一方を単独でまたは両者を同時に配合することができる。
【００２３】
本発明における前記一般式（１）で表されるアミド基含有グアニジン誘導体またはその塩は、例えば、特開平６−３１２９７２号公報に開示されているように、ジアミンより誘導したモノアミドアミンを加温減圧処理や加温窒素バブリング処理することで二酸化炭素フリーの雰囲気下で保存後、シアナミド、Ｓ−メチルイソチオ尿素等でグアニジル化し、さらに混在する不純物を晶析等の手段により除去することより得ることができる。
【００２４】
また、下記一般式（２）で表されるアミノ基含有グアニジン誘導体を脂肪酸ハライドと反応させること、もしくは脂肪酸エステルと反応させることによっても製造可能である。しかしながら、このような合成反応の際に副生した脂肪酸を充分に除去することは困難である。
【００２５】
【化４】
2004269518.tif 000004
【００２６】
（式中、Ｒ１およびＲ２は、それぞれ、水素原子または炭素原子数１〜４の直鎖または分岐鎖のアルキル基またはアルケニル基であり、同一でも異なっていても良い。そして、Ｘは、炭素原子数１〜１０の直鎖または分岐鎖のアルキレン基またはアルケニレン基である。）
【００２７】
次に、上記一般式（１）で表されるアミド基含有グアニジン誘導体およびその塩の、それらを含有する液体組成物中におけるそれらの沈殿の生成を抑制する作用に優れた無機塩、有機酸塩、非イオン性界面活性剤および両性界面活性剤（成分Ｂ）について詳述する。
【００２８】
本発明に用いられる、前記一般式（１）で表されるアミド基含有グアニジン誘導体または／およびその塩の沈殿の生成を抑制する作用を有する、無機塩、有機酸塩、非イオン性界面活性剤および両性界面活性剤（以下、沈殿抑制剤と総称することがある）については特に制限はなく、通常、化粧料に用いられるものの中から所与の場合に適当なものを選択して使用することができる。沈殿抑制剤としての適否は、当業者であれば、後記実施例を参考するなどして容易に決定することができる。
【００２９】
無機塩の例としては、塩化ナトリウム、塩化カリウムなどを挙げることができる。
【００３０】
有機酸塩の例としては、グルタミン酸ナトリウム（一水和物）、グルタミン酸カリウム、アスパラギン酸ナトリウム、アスパラギン酸カリウム、乳酸ナトリウム、乳酸カリウム、リンゴ酸ナトリウム、リンゴ酸カリウム、酢酸ナトリウム、酢酸アンモニウム、酢酸カリウム、サリチル酸ナトリウム、安息香酸ナトリウム、ソルビン酸ナトリウム、エデト酸ジナトリウムなどを挙げることができる。
【００３１】
これらの有機酸塩の中では、グルタミン酸ナトリウム（一水和物）、アスパラギン酸ナトリウム、アスパラギン酸カリウム、乳酸ナトリウム、乳酸カリウム、リンゴ酸ナトリウムおよび酢酸カリウムが好ましく、これらの中で更に好ましいのは乳酸ナトリウムおよびグルタミン酸ナトリウムである。
【００３２】
非イオン性界面活性剤としては、プロピレングリコール脂肪酸エステル、グリセリン脂肪酸エステル、ポリオキシエチレングリセリン脂肪酸エステル、ポリグリセリン脂肪酸エステル、ソルビタン脂肪酸エステル、ポリオキシエチレンソルビタン脂肪酸エステル、ポリオキシエチレンソルビット脂肪酸エステル、ポリオキシエチレンアルキルフェニルホルムアルデヒド縮合物、ポリオキシエチレンヒマシ油、ポリオキシエチレン硬化ヒマシ油、ポリオキシエチレンステロール及びその誘導体、ポリエチレングリコール脂肪酸エステル、ポリオキシエチレンアルキルエーテル、ポリオキシエチレンポリオキシプロピレンアルキルエーテル、ポリオキシエチレンアルキルフェニルエーテル、ポリオキシエチレンラノリン及びその誘導体、ポリオキシエチレンミツロウ誘導体、ポリオキシエチレンアルキルアミン、ポリオキシエチレン脂肪酸アミド、アルカノールアミド、シュガーエステル類、ポリオキシエチレン硬化ヒマシ油ピログルタミン酸エステル、ポリオキシエチレングリセリルピログルタミン酸エステル等を挙げることができる。
【００３３】
これらの非イオン性界面活性剤の中では、ソルビタン脂肪酸エステル、ポリオキシエチレンソルビット脂肪酸エステル、ポリオキシエチレン硬化ヒマシ油、ポリエチレングリコール脂肪酸エステル、ポリオキシエチレン硬化ヒマシ油ピログルタミン酸エステルおよびポリオキシエチレングリセリルピログルタミン酸エステルが好ましく、これらの中で更に好ましいものはソルビタン脂肪酸エステル、ポリオキシエチレンソルビット脂肪酸エステル、ポリオキシエチレン硬化ヒマシ油ピログルタミン酸エステルおよびポリオキシエチレングリセリルピログルタミン酸エステルである。
【００３４】
両性界面活性剤の例としては、カルボベタイン型両性界面活性剤、スルホベタイン型両性界面活性剤、ヒドロキシスルホベタイン型両性界面活性剤、アミドスルホベタイン型両性界面活性剤、ホスホベタイン型両性界面活性剤、イミダゾリン型両性界面活性剤、レシチン誘導体等を挙げることができる。
【００３５】
これらの両性界面活性剤の中では、カルボベタイン型両性界面活性剤、スルホベタイン型両性界面活性剤、ヒドロキシスルホベタイン型両性界面活性剤が好ましく、これらの中で更に好ましいのはカルボベタイン型両性界面活性剤である。
【００３６】
本発明の液体組成物に含有される前記一般式（１）で表されるアミド基含有グアニジン誘導体または／およびその塩（成分Ａ）は、通常、液体組成物全量に対し、例えば、０．００１〜５．０重量％、好ましくは０．０１〜２．０重量％、更に好ましくは０．０５〜１．０重量％の範囲とすることができる。
【００３７】
沈殿抑制剤である無機塩、有機酸塩、非イオン性界面活性剤または両性界面活性剤（成分Ｂ）の配合量は、本発明の効果が得られる範囲であれば特に制限は無いが、通常、液体組成物全量に対し、例えば、０．０１〜１０．０重量％、好ましくは０．１〜５．０重量％、更に好ましくは０．２〜２．０重量％の範囲で用いられる。もちろん、適宜、無機塩、有機酸塩、非イオン性界面活性剤および両性界面活性剤のうちの２種以上を併用して成分Ｂとすることも可能である。併用した場合は、それらの合計添加量を上記の範囲内とする。
【００３８】
また、成分Ａと成分Ｂの配合比は、目的とする製品（液体組成物）によって適宜決定することが容易であるが、通常、成分Ａ／成分Ｂ（重量比）＝１／０．５〜１／２０の範囲で使用される。１／０．５より大きい場合には沈殿抑制効果が不十分であり、１／２０より小さい場合には、必要以上の沈殿抑制剤が不純物として商品価値を下げるだけでなくＡ成分を油状分離させたりすることがある。持続的な沈殿抑制効果を呈するという観点で、好ましくは成分Ａ／成分Ｂ（重量比）＝１／１〜１／１０が好ましく、成分Ａ／成分Ｂ（重量比）＝１／２〜１／５が更に好ましい。
【００３９】
本発明の液体組成物には、上に説明した成分に加えて、本発明の効果を阻害しない範囲で、通常使用される各種添加物を任意の成分として添加することができる。その例としては、界面活性剤、湿潤剤、シリコーン化合物、高分子物質（高分子化合物）、アルコール類、紫外線吸収剤、色素、顔料、ビタミン、酸化防止剤、金属イオン封鎖剤、防腐剤、殺菌剤、ｐＨ調整剤、パール化剤、核酸、酵素、天然抽出物等の化粧品原料基準、化粧品種別配合成分規格、医薬部原料規格、日本薬局方、食品添加物公定書記載の原料等を挙げることができる。
【００４０】
本発明の液体組成物は、上記一般式（１）で表されるアミド基含有グアニジン誘導体または／およびその塩（成分Ａ）に沈殿抑制剤の無機塩、有機酸塩、非イオン性界面活性剤および両性界面活性剤からなる群より選ばれる少なくとも１種（成分Ｂ）を水等に溶解するこの分野での常法により製造することができる。本発明にかかる液体組成物は、ウエットティッシュなどの基布含浸用薬液、皮膚外用剤、化粧水、洗口剤、ローション剤、入浴剤、制汗剤など幅広い製品に応用することができる。
【００４１】
最後に、本発明の液体組成物の流通形態について付言する。上に説明したように、本発明の液体組成物は、成分Ａと成分Ｂに加えて、必要により常用の各種添加物を水等に溶解して製造されるのであるが、このような完成品としなくても、水等に溶解する前の、いわばプレミックスの形態で流通に置くことができる。これを購入した者が、水等に溶解して容易に液体組成物の完成品とすることができるのである。従って、このようなプレミックスも本発明の範囲に含まれる。プレミックスに含まれる成分Ａと成分Ｂの割合は、上記したものと同じとすることは言うまでもない。
【実施例】
【００４２】
以下、本発明は実施例によって説明するが、本発明はこれらの実施例に限定されるものではない。
【００４３】
＜比較例１〜３および実施例１〜５：沈殿抑制剤の選定＞
ラウラミドブチルグアニジン塩酸塩０．１重量％の水溶液へ下記第１表に記載の物質を０．２重量％添加し、２５℃での保存安定性試験を行った。目視により、溶解直後、１日後および７日後の溶解状態を確認し、透明に溶解している場合を○、そして沈殿ありを×と評価した。結果を下記第１表に示す。
【００４４】
【表１】
2004269518.tif 000005
【００４５】
第１表に示す結果から、ここで使用したアミド基含有グアニジン誘導体に対し、その沈殿の生成を抑制する作用を有する添加剤（沈殿抑制剤）として効果を有するものを選定することができた。
【００４６】
＜比較例１および実施例６〜１５：沈殿抑制剤有効濃度＞
ラウラミドブチルグアニジン塩酸塩０．１重量％の水溶液に各種濃度になるように塩化ナトリウム、塩化カリウムを添加し、２５℃での保存安定性試験を行った。目視により、溶解直後、１日後および７日後の溶解状態を確認し、透明に溶解している場合を○、そしてわずかに沈殿ありを△、そして沈殿ありを×と評価した。結果を下記第２〜３表に示す。
【００４７】
【表２】
2004269518.tif 000006
【００４８】
【表３】
2004269518.tif 000007
【００４９】
第２〜３表から明らかなように、塩化ナトリウム、塩化カリウムの添加により保存安定性が改善されていることが確認できた。本実施例の場合、１日後以降では塩化ナトリウム０．１重量％以上で良好な保存安定性が確認できた。もちろん、液体組成物の製品形態などを考慮し、必要とされる保存安定性の期間や条件により添加剤の種類や濃度を変更することもできる。
【００５０】
＜実施例１６〜１９：化粧水の調製＞
下記第４表に示す組成（重量％表示、総量１００％）の化粧水を調製した。得られた化粧水は、保存安定性、保湿性に優れ、かつべとつかず、良好な使用感が得られた。
【００５１】
【表４】
2004269518.tif 000008
【００５２】
＜実施例２０〜２１：洗口剤の調製＞
下記第５表に示す組成（重量％表示、総量１００％）の洗口剤を調製した。得られた洗口剤は、保存安定性、殺菌効果に優れた良好な使用感が得られた。
【００５３】
【表５】
2004269518.tif 000009
【００５４】
＜実施例２２〜２５：ウエットティッシュの調製＞
下記第６表に示す組成（重量％表示、総量１００％）の薬液を調製した。得られた薬液をレーヨンとＰＥＴよりなる不織布（不織布１）、レーヨンとＰＰ／ＰＥＴよりなる不織布（不織布２）およびパルプよりなる不織布（不織布３）からそれぞれその重量に対し、２．５倍の薬液を含浸したウエットティッシュを調製した。これらのウエットティッシュは、温度安定性、抗菌抗黴性に優れ、かつ保湿効果に富んだ良好な使用感が得られた。
【００５５】
【表６】
2004269518.tif 000010
【産業上の利用可能性】
【００５６】
本発明によれば、前記一般式（１）で表されるアミド基含有グアニジン誘導体または／およびその塩を含有する液体組成物中における沈殿の生成を抑制することが容易にでき、延いてはそのような液体組成物の保存安定性が高められ、その結果、その商品価値が容易に向上せしめられるところとなる。